(57)【要約】【課題】収集バッグ内から尿計量具内へと戻って流れ得る尿の量を減少させるための、逆流防止機構を備える尿収集システムを提供すること。【解決手段】尿収集システムであって、尿計量具；該尿計量具から尿を受容するための少なくとも第一の開口部を規定する収集部材；および該収集部材の該開口部に隣接して位置するシールドであって、該シールドは、該収集部材に、該シールドの周囲に沿った所定の接続点において固定されており、これによって、尿が、該収集点の間を通って、該尿計量具から該収集部材へと流れる、シールド、を備える、尿収集システム。【選択図】なし【特許請求の範囲】
【請求項１】
尿収集システムであって、
尿計量具；
該尿計量具から尿を受容するための少なくとも第一の開口部を規定する収集部材；および
該収集部材の該開口部に隣接して位置するシールドであって、該シールドは、該収集部材に、該シールドの周囲に沿った所定の接続点において固定されており、これによって、尿が、該収集点の間を通って、該尿計量具から該収集部材へと流れる、シールド、
を備える、尿収集システム。
【請求項２】
前記シールドが前記収集部材の内側表面に固定されている、請求項１に記載の尿収集システム。
【請求項３】
前記シールドが前記接続点において前記収集部材にスポット溶接されている、請求項１に記載の尿収集システム。
【請求項４】
前記シールドが、少なくとも第一のスロットを備え、該スロットは、該スロットを通る流体の通過を可能にするように構成されている、請求項１に記載の尿収集システム。
【請求項５】
尿収集システムであって、
処分ポートを規定する尿計量具；
該尿計量具から尿を受容するための開口部を規定する収集部材；および
該尿計量具の該処分ポートに隣接して設置されたガードであって、該ガードは、少なくとも１つの通路を有し、該通路は、該処分ポートから該開口部内へ、そして該収集部材内への尿の通過を可能にするためのものである、ガード、
を備える、尿収集システム。
【請求項６】
前記ガードが、尿の通過を可能にするための複数の通路を備える、請求項５に記載の尿収集システム。
【請求項７】
前記ガードの前記通路のうちの少なくともいくつかが、異なる内部寸法を規定する、請求項６に記載の尿収集システム。
【請求項８】
前記ガードの前記通路の前記内部寸法が、該ガードの下端から該ガードの上端へと増加する、請求項７に記載の尿収集システム。
【請求項９】
前記ガードの前記１つの通路が、複数のスロットの形態である、請求項５に記載の尿収集システム。
【請求項１０】
前記１つの通路に隣接するフラップを備え、該フラップが、前記処分ポートから前記開口部を通って前記収集部材内への尿の通過を可能にするように、該１つの通路に対して変位されるように、そして該収集部材内の尿が所定のレベルに達したら該１つの通路を選択的に覆うように適合されている、請求項５に記載の尿収集システム。
【請求項１１】
尿収集システムであって、
処分ポートを規定する尿計量具；
該尿計量具から尿を受容するための少なくとも第一の開口部を規定する収集部材；
該収集部材内に配置された背面板；および
該背面板から延び、そして該尿計量具の該処分ポートと流体連絡するように構成されたフランジ、
を備える、尿収集システム。
【請求項１２】
前記背面板がリブを備え、該リブが、該リブの間に尿が流れることを可能にするためのチャネルを規定する、請求項１１に記載の尿収集システム。
【請求項１３】
前記尿計量具が第二の処分ポートを規定し、そして前記背面板が、該第二の処分ポートと流体連絡するように構成された第二のフランジを備える、請求項１２に記載の尿収集システム。
【請求項１４】
前記背面板が、実質的に「Ｔ」字型の平坦な部材を規定する、請求項１１に記載の尿収集システム。
【発明の詳細な説明】
【技術分野】
【０００１】
本開示は、尿収集バッグまたはシステムと共に使用するための、尿計量具に関する。より特定すると、本開示は、より迅速な排液およびより正確な体積測定を容易にするように構成された、尿計量具に関する。
【背景技術】
【０００２】
尿計量具は周知であり、そしてカテーテル挿入された患者のための尿収集システムと組み合わせて通常使用されている。代表的に、尿計量具は、尿収集バッグに固定されており、そしてカテーテル挿入された患者に接続された供給管から尿を受容する。尿計量具は、制限された体積を有し、そして内部に入れられた流体の体積を測定するための印を備える。尿計量具は、より大きい体積の尿収集バッグに取り付けられ、そしてこの計量具の上部に配置された少なくとも１つの排液開口部を備え、この排液開口部は、この尿収集バッグと流体連絡している。所定の使用時間後、この尿計量具内の尿の体積が記録され得、そしてこの尿計量具の内容物が、尿収集バッグ内に空けられ得る。
【発明の概要】
【発明が解決しようとする課題】
【０００３】
従って、収集バッグ内から尿計量具内へと戻って流れ得る尿の量を減少させるための、逆流防止機構を備える尿収集システムを提供することが望ましい。
【課題を解決するための手段】
【０００４】
上記課題を解決するために、本発明は、例えば、以下を提供する：
（項目１）
尿収集システムであって、
尿計量具；
該尿計量具から尿を受容するための少なくとも第一の開口部を規定する収集部材；および
該収集部材の該開口部に隣接して位置するシールドであって、該シールドは、該収集部材に、該シールドの周囲に沿った所定の接続点において固定されており、これによって、尿が、該収集点の間を通って、該尿計量具から該収集部材へと流れる、シールド、
を備える、尿収集システム。
【０００５】
（項目２）
上記シールドが上記収集部材の内側表面に固定されている、上記項目に記載の尿収集システム。
【０００６】
（項目３）
上記シールドが上記接続点において上記収集部材にスポット溶接されている、上記項目のうちのいずれかに記載の尿収集システム。
【０００７】
（項目４）
上記シールドが、少なくとも第一のスロットを備え、該スロットは、該スロットを通る流体の通過を可能にするように構成されている、上記項目のうちのいずれかに記載の尿収集システム。
【０００８】
（項目５）
尿収集システムであって、
処分ポートを規定する尿計量具；
該尿計量具から尿を受容するための開口部を規定する収集部材；および
該尿計量具の該処分ポートに隣接して設置されたガードであって、該ガードは、少なくとも１つの通路を有し、該通路は、該処分ポートから該開口部内へ、そして該収集部材内への尿の通過を可能にするためのものである、ガード、
を備える、尿収集システム。
【０００９】
（項目６）
上記ガードが、尿の通過を可能にするための複数の通路を備える、上記項目に記載の尿収集システム。
【００１０】
（項目７）
上記ガードの上記通路のうちの少なくともいくつかが、異なる内部寸法を規定する、上記項目のうちのいずれかに記載の尿収集システム。
【００１１】
（項目８）
上記ガードの上記通路の上記内部寸法が、該ガードの下端から該ガードの上端へと増加する、上記項目のうちのいずれかに記載の尿収集システム。
【００１２】
（項目９）
上記ガードの上記１つの通路が、複数のスロットの形態である、上記項目のうちのいずれかに記載の尿収集システム。
【００１３】
（項目１０）
上記１つの通路に隣接するフラップを備え、該フラップが、上記処分ポートから上記開口部を通って上記収集部材内への尿の通過を可能にするように、該１つの通路に対して変位されるように、そして該収集部材内の尿が所定のレベルに達したら該１つの通路を選択的に覆うように適合されている、上記項目のうちのいずれかに記載の尿収集システム。
【００１４】
（項目１１）
尿収集システムであって、
処分ポートを規定する尿計量具；
該尿計量具から尿を受容するための少なくとも第一の開口部を規定する収集部材；
該収集部材内に配置された背面板；および
該背面板から延び、そして該尿計量具の該処分ポートと流体連絡するように構成されたフランジ、
を備える、尿収集システム。
【００１５】
（項目１２）
上記背面板がリブを備え、該リブが、該リブの間に尿が流れることを可能にするためのチャネルを規定する、上記項目に記載の尿収集システム。
【００１６】
（項目１３）
上記尿計量具が第二の処分ポートを規定し、そして上記背面板が、該第二の処分ポートと流体連絡するように構成された第二のフランジを備える、上記項目のうちのいずれかに記載の尿収集システム。
【００１７】
（項目１４）
上記背面板が、実質的に「Ｔ」字型の平坦な部材を規定する、上記項目のうちのいずれかに記載の尿収集システム。
【００１８】
尿収集システムは、収集バッグ内から尿計量具に戻って流れ得る尿の量を減少させるための逆流防止機構を備える。この尿収集システムは、尿計量具、この尿計量具から尿を受容するための少なくとも第一の開口部を規定する収集部材、およびこの収集部材の開口部に隣接して位置するシールドを備える。このシールドは、このシールドの周囲に沿った所定の接続点において、この収集部材に固定され、これによって、尿がこれらの接続点の間を通って、この尿計量具からこの収集部材へと流れる。このシールドは、このバッグの内側表面に固定され得る。このシールドは、これらの接続点において、この収集部材にスポット溶接され得る。このシールドは、少なくとも第一のスロットを備え得、このスロットは、このスロットを通る流体の通過を可能にするように構成される。
【００１９】
（要旨）
１つの実施形態において、尿収集システムは、尿計量具、収集部材およびシールドを備え、この収集部材は、この尿計量具から尿を受容するための少なくとも第一の開口部を規定し、そしてこのシールドは、この収集部材の開口部に隣接して位置する。このシールドは、このシールドの周囲に沿った所定の接続点において、この収集部材に固定され、これによって、尿がこれらの接続点の間を通って、この尿計量具からこの収集部材へと流れる。このシールドは、このバッグの内側表面に固定され得る。このシールドは、これらの接続点において、この収集部材にスポット溶接され得る。このシールドは、流体の通過を可能にするように構成された少なくとも第一のスロットを備え得る。
【００２０】
別の実施形態において、尿収集システムは、処分ポートを規定する尿計量具、収集部材、およびガードを備え、この収集部材は、この尿計量具から尿を受容するための開口部を規定し、そしてこのガードは、この尿計量具の処分ポートに隣接して設置される。このガードは、この処分ポートからこの開口部へ、そしてこの収集部材への尿の通過を可能にするための、少なくとも１つの通路を有する。このガードは、尿の通過を可能にするための複数の通路を備え得る。このガードの通路のうちの少なくともいくつかは、異なる内部寸法を規定し得る。このガードの通路の内部寸法は、このガードの下端からこのガードの上端へと増加し得る。これらの通路は、このガード内のスロットの形態であり得る。フラップが、このガードの通路に隣接して配置され得る。このフラップは、この通路に対して変位し、尿がこの処分ポートからこの開口部を通り、そしてこの収集部材内へと通過することを可能にするように適合され得、そしてこの収集部材内の尿が所定のレベルに達するとこの通路を選択的に覆うように適合され得る。
【００２１】
別の実施形態において、尿収集システムは、処分ポートを規定する尿計量具、収集部材、背面板およびフランジを備え、この収集部材は、この尿計量具から尿を受容するための少なくとも第一の開口部を規定し、この背面板は、この収集部材内に配置されており、そしてこのフランジは、この背面板から延び、そしてこの尿計量具の処分ポートと流体連絡するように構成される。この背面板は、リブを備え得、これらのリブは、これらの間にチャネルを規定して尿が流れることを可能にする。尿計量具は、第二の処分ポートを規定し得、そしてこの背面板は、この第二の処分ポートと流体連絡するように構成された第二のフランジを備え得る。この背面板は、実質的に「Ｔ」字型の平坦な部材を規定し得る。
【発明の効果】
【００２２】
本発明により、収集バッグ内から尿計量具内へと戻って流れ得る尿の量を減少させるための、逆流防止機構を備える尿収集システムが提供される。
【図面の簡単な説明】
【００２３】
【図１】図１は、尿計量具および収集バッグを備える、先行技術の尿収集システムの分解斜視図である。
【図２】図２は、図１の尿収集システムの斜視図である。
【図３】図３は、本開示の局面による逆流防止機構の１つの実施形態の斜視図である。
【図４Ａ】図４Ａは、本開示の局面による逆流防止機構の別の実施形態の正面図である。
【図４Ｂ】図４Ｂは、本開示の局面による逆流防止機構の別の実施形態の背面図である。
【図４Ｃ】図４Ｃは、尿計量具に選択的に固定された、図４Ａおよび図４Ｂの逆流防止機構の正面図である。
【図５Ａ】図５Ａは、図４Ａ〜図４Ｃの逆流防止機構の別の実施形態の第一の側面図である。
【図５Ｂ】図５Ｂは、図４Ａ〜図４Ｃの逆流防止機構の別の実施形態の第二の側面図である。
【図６】図６は、図４Ａ〜図４Ｃの逆流防止機構のなお別の実施形態の正面図である。
【図７Ａ】図７Ａは、本開示の局面による逆流防止機構のなお別の実施形態の正面図である。
【図７Ｂ】図７Ｂは、線７Ｂ−７Ｂに沿って見た、図４Ａの逆流防止機構の側面図である。
【図７Ｃ】図７Ｃは、線７Ｃ−７Ｃに沿って見た、図４Ａの逆流防止機構の側面図である。
【図７Ｄ】図７Ｄは、線７Ｄ−７Ｄに沿って見た、図４Ａの逆流防止機構の側面図である。
【図７Ｅ】図７Ｅは、図７Ａ〜図７Ｄの逆流防止機構を備える尿収集システムの側面図である。
【発明を実施するための形態】
【００２４】
添付の図面は、本明細書に組み込まれ、そして本明細書の一部を構成する。これらの図面は、本開示の実施形態を図示し、そして上記本開示の一般的な説明および下記の実施形態の詳細な説明と一緒に、本開示の原理を説明する役に立つ。
【００２５】
（詳細な説明）
最初に図１および図２を参照すると、先行技術の尿収集システムが、一般に尿収集システム１０として示されている。尿収集システム１０は、共有に係る米国特許出願公開第２００７／０２１３６３９号に詳細に記載されており、この米国特許出願公開の内容は、その全体が本明細書中に参考として援用され、そして本開示の局面を実施可能にするために必要な程度までしか議論されない。尿収集システム１０は、尿計量具２０および収集部材またはバッグ３０を備える。尿計量具２０は、２つの大きい処分ポート２２、２３を備え、これらのポートは、収集バッグ３０に形成された開口部３２、３３と流体連絡する。流体「Ｆ」が、管「Ｔ」を通って尿計量具２０に流入し、ここで、流体「Ｆ」の量が計量され得、その後、尿収集システム１０が傾けられて流体「Ｆ」が収集バッグ３０内に排液される。尿収集システム１０の構成は、使用者が流体「Ｆ」を尿計量具２０から収集バッグ３０内へと容易に排液することを可能にするが、尿収集システム１０が不慮に傾くとまた、収集バッグ３０から処分ポート２２、２３を通って尿計量具２０内へと戻る、流体「Ｆ」の逆流を引き起こし得る。
【００２６】
ここで図３を参照すると、本開示による逆流防止機構の第一の実施形態が、一般にシールド付き収集バッグ１００として示されている。逆流防止収集バッグ１００は、本明細書で先に議論された収集バッグ３０と実質的に類似しているので、これらの間の違いに関してのみが記載される。逆流防止収集バッグ１００は、尿計量具から流体を受容するための開口部１３２、１３３を規定する。逆流防止収集バッグ１００は、開口部１３２、１３３を部分的に閉塞するシールド１０２、１０４をさらに備える。
【００２７】
シールド１０２、１０４は、ビニルまたは他の適切な材料から構成され得る。シールド１０２、１０４は、開口部１３２、１３３を覆うようなサイズおよび寸法にされる。シールド１０２、１０４は、収集バッグ１００の内側表面に固定される。シールド１０２、１０４は、開口部１３２、１３３を覆って収集バッグ１００内に位置決めされる。一旦、適所にくると、シールド１０２、１０４は、それぞれシールド１０２、１０４の周りのそれぞれの選択された点１０２ａ〜ｃ、１０４ａ〜ｃにおいて、収集バッグ１００に取り付けられる。シールド１０２、１０４は、スポット溶接、接着剤または他の適切な方法を使用して、収集バッグ１００に取り付けられ得る。示されるように、シールド１０２、１０４の各々は、それぞれ３つの点１０２ａ〜ｃ、１０４ａ〜ｃにおいて、収集バッグ１００に取り付けられているが、より少ない取り付け点またはより多い取り付け点が使用されてもよい。取り付け点１０２ａ〜ｃ、１０４ａ〜ｃは、それぞれ、収集バッグ１００とシールド１０２、１０４との重なり部分に沿った任意の適切な点に配置され得ることが予測される。シールド１０２、１０４を選択された取り付け点１０２ａ〜ｃ、１０４ａ〜ｃにおいて取り付けることによって、収集バッグ１００とシールド１０２、１０４との間の重なりの残りの領域（すなわち、重なり部分１０６、１０７）は、収集バッグ１００に取り付けられないままである。この様式で、流体「Ｆ」は、尿計量具から、取り付け点１０２ａ〜ｃ、１０４ａ〜ｃの周りまたは間を通って、収集バッグ１００内へと流れることが可能になる。重なり部分１０６、１０７は、それぞれ、シールド１０２、１０４が収集バッグ１００に張り付くことを防止するように構成され得る。例えば、重なり部分１０６、１０７は、ノブ、リッジまたは他の適切な構成（図示せず）を備えて、シールド１０２、１０４がバッグ１００に張り付くことを防止し得る。重なり部分１０６、１０７は、その代わりにかまたはさらに、シールド１０２、１０４と収集バッグ１００との間にフィルムまたはコーティングを備えて、重なり部分１０６、１０７が張り付くことを防止し得る。
【００２８】
シールド１０２、１０４は、それぞれフラップ１０８、１０９をさらに備え、これらのフラップは、尿計量具から収集バッグ１００内への、流体「Ｆ」のさらなる流れを可能にするように構成される。フラップ１０８、１０９は、流体「Ｆ」が収集バッグ１００に入る際に、尿計量具から離れるように内向きに逸れ、一方で、フラップ１０８、１０９の尿計量具に向かう外向きの方向の動きを制限するように構成される。この様式で、フラップ１０８、１０９は、流体「Ｆ」が尿計量具内に逆流するよりも多くの流体「Ｆ」が収集バッグ１００内に排液されることを可能にする。フラップ１０８、１０９は、それぞれ、シールド１０２、１０４の周りの任意の適切な位置に配置され得る。シールド１０２、１０４は、それぞれ任意の数のフラップ１０８、１０９を備え得、フラップが全くない場合も含む。
【００２９】
ここで図４Ａ〜図４Ｃを参照すると、本開示による逆流防止機構の別の実施形態が、一般に逆流防止ガード２００として示されている。逆流防止ガード２００は、尿計量具２０の処分ポート２２（図１）内に固定されるように構成される。この様式で、ガード２００は、尿計量具２０と収集バッグ１００との間に配置されて、これらの間での流体「Ｆ」の流れを制御する。第二のガード（図示せず）は、逆流防止ガード２００の実質的に鏡像であり、そして尿計量具２０の処分ポート２３内に固定されるように構成される。さらに、開口部２０２は、二方向弁または一方向開口部であり得、尿計量具から収集バッグ１００への一方向のみの流れを可能にする。
【００３０】
ガード２００は、実質的に平坦な部材を規定し、第一の面２０２ａおよび第二の面２０２ｂを有する。以下でより詳細に議論されるように、ガード２００の第一の面２０２ａは、尿計量具２０の処分ポート２２（図１）と係合するように構成される。ガード２００は、水平に間隔を空けた複数の開口部２０２を備える。開口部２０２は、下から上へと次第に大きくなる内径または穴を規定する。円形の開口部として示されているが、開口部２０２は、任意の形状を規定し得る。開口部２０２のサイズおよび構成は、流体「Ｆ」の収集バッグ３０（図１）内への流れ、および流体「Ｆ」が尿計量具２０に戻る逆流を制御するように、変更可能であり得る。開口部２０２のサイズおよび構成はまた、収集バッグ３０内への血餅の通過を制御するために変更可能であり得る。さらに、開口部２０２は、二方向または一方向の弁または開口部であり得、尿計量具２０から収集バッグ１００への方向のみでの流れを可能にする。
【００３１】
ガード２００は、尿計量具２０の処分ポート２２に、任意の適切な様式（結合、接着および摩擦ばめまたはスナップばめが挙げられる）で固定され得る。あるいは、ガード２００は、尿計量具２０と一体的に形成され得る。示されるように、ガード２００は、尿計量具２０の処分ポート２２内にスナップばめされるように構成される。ガード２００は、スナップ部材２０４およびロケーター２０６を備える。ロケーター２０６は、スナップ部材２０４と対向して配置され、そして処分ポート２２の第一の縁部２２ａと係合するように構成される。スナップ部材２０４は、処分ポート２２の第二の縁部２２ｂと選択的に係合するように構成される。ガード２００は、任意の数のスナップ部材２０４およびロケーター２０６を備え得る。ガード２００は、ガード２００を処分ポート２２内で整列させるように構成されたガイド２０８、２０９をさらに備える。ガイド２０８、２０９は、処分ポート２２の第三の縁部２２ｃおよび第四の縁部２２ｄとそれぞれ係合するように構成される。ガード２００は、任意の数のガイド２０８、２０９を備え得る。スナップ部材２０４、ロケーター２０６およびガイド２０８、２０９は、ガード２００を整列させて処分ポート２２内でしっかりと保持する。シールまたは密封部材（図示せず）が、ガード２００と尿計量具２０との間に配置されて、これらの間のシールの一体性を増加させ得る。
【００３２】
ここで図５Ａ〜図６を参照すると、逆流防止ガード２００の代替の実施形態が、一般に逆流防止ガード２１０、２２０として示されている。逆流防止ガード２１０、２２０は、逆流防止ガード２００と実質的に類似であるので、これらの間の違いに関する細部のみが記載される。
【００３３】
逆流防止ガード２１０は、第一の面２１０ａおよび第二の面２１０ｂを備え、そして１つの大きい開口部２１２を規定する。開口部２１２は、フラップ２１３により覆われる。フラップ２１３は、開口部２１２の上で、ガード２１０の第二の面２１０ｂにヒンジ式に設置される。フラップ２１３は、開口部２１２を越えて延びるようなサイズおよび寸法にされる。ガード２１０は、スナップ部材２１４、ロケーター２１６およびガイド２１８、２１９をさらに備え、これらは、ガード２１０を尿計量具２０の処分ポート２３に保持するように固定される（図４Ｃ）。設置されると、ガード２１０のフラップ２１３は、流体「Ｆ」が開口部２１２を通って収集バッグ３０（図１）内へと流れることを可能にし、そして流体「Ｆ」が尿計量具２０内に戻って流れること（すなわち、逆流）を防止する。流体「Ｆ」が尿計量具２０内に蓄積し、そして開口部２１２に達すると、フラップ２１３が離れるように揺れ、これによって、流体「Ｆ」が収集バッグ３０に入ることを可能にする。流体「Ｆ」が収集バッグ３０内で所定のレベルに達すると、尿がフラップ２１３に接触し、開口部２１２を越えて延びるフラップの縁部をガード２００に押し付けることによって、フラップ２１３を事実上閉じる。この様式で、流体「Ｆ」は、一旦収集バッグ３０（図１）内に排液されると、尿計量具２０内に戻って流れることを防止される。
【００３４】
逆流防止ガード２２０は、水平スロット２２２を備え、これらの水平スロットは、下から上へと次第に高さ方向の大きさが大きくなる。水平スロット２２２のサイズおよび構成は、収集バッグ３０（図１）内への流体「Ｆ」の流れ、および尿計量具２０内への流体「Ｆ」の逆流を制御するように、変更可能であり得る。水平スロット２２２のサイズおよび構成はまた、収集バッグ３０内への血餅の通過を制御するように変更可能であり得る。
【００３５】
ここで図７Ａ〜図７Ｅを参照すると、本開示による逆流防止機構のなお別の実施形態が、一般に収集バッグインサート３００として示されている。インサート３００は、収集バッグ３０ａ内に受容されるように構成される。収集バッグ３０ａおよびインサート３００は、尿計量具２０および他の適切な尿計量具と共に使用するために構成される。インサート３００は、代替の構成の尿計量具（１つの処分ポートのみを有する尿計量具が挙げられる）と共に使用するために改変され得ることが予測される。
【００３６】
インサート３００は、背面板３０２および１対のフランジ３０４、３０６を備え、これらのフランジは、背面板３０２の第一の表面３０３ａから延びる。フランジ３０４、３０６は、背面板３０２と一体的に形成され得るか、またはその代わりに、接着剤、結合もしくは他の適切な技術を使用して背面板３０２にしっかりと固定され得る。背面板３０２は、ほぼ「Ｔ」字型の構成を有する実質的に平坦な基部を規定する。フランジ３０４、３０６は、背面板３０２の水平部分３０２ａに位置し、そして開口部３０４ａ、３０６ａを規定する。フランジ３０４、３０６は、それぞれ尿計量具２０の処分ポート２２、２３と係合するように構成される。インサート３００は、リブ３０８をさらに備え、これらのリブは、背面板３０２の第二の表面３０３ｂに形成され、そして垂直部分３０２ｂに沿って延びる。以下で議論されるように、インサート３００が収集バッグ３０ａで受容されると、リブ３０８は、背面板３０２と収集バッグ３０ａとの間にチャネル３０９を形成する。
【００３７】
使用において、収集バッグ３０ａ（インサート３００を備える）は、任意の適切な方法によって、尿計量具２０に固定される。フランジ３０４、３０６は、収集バッグ３０ａから延び、そして尿計量具２０の処分ポート２２、２３（図１）でそれぞれ受容されるように構成され得る。あるいは、フランジ３０４、３０６は、尿計量具２０の処分ポート２２、２３に対してそれぞれ同一面上に位置するように構成され得る。一旦、収集バッグ３０ａが尿計量具２０に固定されると、流体「Ｆ」（図２）は、尿計量具２０から収集バッグ３０ａ内へと排液され得る。流体「Ｆ」は、尿計量具２０の処分ポート２２、２３から、フランジ３０４、３０６の開口部３０４ａ、３０６ａ内へと排液される。流体「Ｆ」は、開口部３０４ａ、３０６ａから、背面板３０２の第二の面３０３ｂと収集バッグ３０との間を、リブ３０８により形成されたチャネル３０９を通って排液される。インサート３００の構成は、尿計量具２０内に逆流し得る流体「Ｆ」の量を減少させる。
【００３８】
本開示の例示的な実施形態が、本明細書中で添付の図面を参照しながら説明されたが、本開示はこれらの正確な実施形態に限定されないこと、ならびに種々の他の変更および改変が、本開示の範囲または趣旨から逸脱することなく当業者によりなされ得ることが、理解されるべきである。
【符号の説明】
【００３９】
１００  収集バッグ
１０２、１０４  シールド
１３２、１３３  開口部
１０２ａ〜ｃ、１０４ａ〜ｃ  取り付け点
１０６、１０７  重なり部分
【図１】
2010038909.tif 000002
【図２】
2010038909.tif 000003
【図３】
2010038909.tif 000004
【図４Ａ】
2010038909.tif 000005
【図４Ｂ】
2010038909.tif 000006
【図４Ｃ】
2010038909.tif 000007
【図５Ａ】
2010038909.tif 000008
【図５Ｂ】
2010038909.tif 000009
【図６】
2010038909.tif 000010
【図７Ａ】
2010038909.tif 000011
【図７Ｂ】
2010038909.tif 000012
【図７Ｃ】
2010038909.tif 000013
【図７Ｄ】
2010038909.tif 000014
【図７Ｅ】
2010038909.tif 000015